(57)【要約】【課題】より簡単に水位調節を行うことのできるタンクを備えた炊飯器を得る。【解決手段】内釜２で発生した蒸気を内部に入れられた冷却水により復水するタンク１０を備えた炊飯器１００であって、タンク１０は、当該タンク１０上面に形成された開口部から当該タンク１０内に向かって高さ方向に延び、下端部１３ａが貫通した蒸気案内筒１３を備え、蒸気案内筒１３は、タンク１０に規定量の冷却水が入っている状態で当該タンク１０を逆さまにしたときに、規定量の冷却水の水位である規定水位Ｒと、当該蒸気案内筒１３の下端部１３ａとが同位置となるような高さに構成されている。【選択図】図６
2013102806.tif 000002
【特許請求の範囲】
【請求項１】
加熱容器内で発生した蒸気を内部に入れられた冷却水により復水するタンクを備えた炊飯器であって、
前記タンクは、
当該タンクの上面に形成された開口部から当該タンク内に向かって高さ方向に延び、下端が貫通した蒸気案内筒を備え、
前記蒸気案内筒は、前記タンクに規定量の冷却水が入っている状態で当該タンクを逆さまにしたときに、規定量の冷却水の水位である規定水位と、当該蒸気案内筒の下端とが同位置となるような高さに構成されている
ことを特徴とする炊飯器。
【請求項２】
前記タンクに規定量の冷却水が入れられたときの水面よりも上方のタンク壁又は前記蒸気案内筒に形成された第一通気孔を開閉する第一弁部材と、
前記タンクに規定量の冷却水が入れられた状態で当該タンクを逆さまにしたときの水面よりも上方のタンク壁に形成された第二通気孔を開閉する第二弁部材と、を備え、
前記第一弁部材は、前記タンクが通常の向きであるときには前記第一通気孔において前記タンクの内部から外部への流体の流れを許容し、前記タンクが逆さまであるときには前記第一通気孔を塞ぐように構成され、
前記第二弁部材は、前記タンクが逆さまであるときには前記タンクの外部から内部への流体の流れを許容し、前記タンクが通常の向きであるときには前記第二通気孔を塞ぐように構成されている
ことを特徴とする請求項１記載の炊飯器。
【請求項３】
前記タンクは、
前記タンクの上面を構成するタンク蓋と、
前記タンク蓋が着脱可能に装着されるタンク本体と、
前記タンク本体と前記タンク蓋とを固定する固定部材とを備えた
ことを特徴とする請求項１又は請求項２記載の炊飯器。
【請求項４】
前記固定部材は、
前記タンク蓋又は前記タンク本体の一方に設けられ、上下方向に回動可能に支持されたフック状部材と、
前記タンク蓋又は前記タンク本体の他方に設けられ、前記フック状部材を係止させる係止部とを有する
ことを特徴とする請求項３記載の炊飯器。
【請求項５】
前記タンク蓋と前記タンク本体との間にパッキンを介在させる
ことを特徴とする請求項３又は請求項４記載の炊飯器。
【発明の詳細な説明】
【技術分野】
【０００１】
本発明は、炊飯器に関する。
【背景技術】
【０００２】
従来、加熱時に発生する蒸気を、冷却水を収容したタンク内に導いて冷却水中に放散させることで復水するようにした炊飯器が提案されている（例えば、特許文献１参照）。
【先行技術文献】
【特許文献】
【０００３】
【特許文献１】実開昭６０−１０６５３２号公報（第２図）
【発明の概要】
【発明が解決しようとする課題】
【０００４】
上記特許文献１に記載のような炊飯器においては、使用者が、予めタンク内に所定量の冷却水を入れておく必要がある。ここで、タンクに対して水量が少なすぎると蒸気の冷却が不十分となり、また、タンクに対して水量が多すぎると復水された蒸気分と合わせてタンクから水が溢れる可能性があるなどの事情から、使用者においては所定量の水をなるべく正確にタンクに入れることが望まれる。
【０００５】
タンクへの所定量の水の注入を可能とするため、例えば、タンクに水位目盛を設けることもできるが、水位目盛に水位を合わせるためには、タンクへの水の出し入れを何度か行わなければならない場合もあり、手間がかかっていた。また、視力の低下した使用者や暗い場所で水位調節を行う使用者にとっては、水位目盛が見えにくい場合があり、水位調節が困難であった。
【０００６】
本発明は、上記のような課題を背景としてなされたものであり、より簡単に水位調節を行うことのできるタンクを備えた炊飯器を提供するものである。
【課題を解決するための手段】
【０００７】
本発明に係る炊飯器は、加熱容器内で発生した蒸気を内部に入れられた冷却水により復水するタンクを備えた炊飯器であって、前記タンクは、当該タンク上面に形成された開口部から当該タンク内に向かって高さ方向に延び、下端が貫通した蒸気案内筒を備え、前記蒸気案内筒は、前記タンクに規定量の冷却水が入っている状態で当該タンクを逆さまにしたときに、規定量の冷却水の水位である規定水位と、当該蒸気案内筒の下端とが同位置となるような高さに構成されているものである。
【発明の効果】
【０００８】
本発明によれば、使用者が、タンクに規定水位を超える水を入れた状態でタンクを逆さまにすることで、タンク内の余分な水を排出することができる。したがって、使用者は、水位目盛がなくとも、簡単に規定量の水を水タンクに入れることができる。
【図面の簡単な説明】
【０００９】
【図１】実施の形態１に係る炊飯器の上蓋を開放しタンクを取り出した状態を示す斜視説明図である。
【図２】実施の形態１に係る炊飯器の断面模式図である。
【図３】実施の形態１に係るタンクの斜視図である。
【図４】実施の形態１に係るタンクの断面図である。
【図５】図４のＡ部を拡大して示す図である。
【図６】実施の形態１に係るタンクを逆さまにした状態を説明する図である。
【図７】実施の形態２に係るタンクの要部を説明する図である。
【発明を実施するための形態】
【００１０】
以下、本発明に係る炊飯器を、家庭用ＩＨ式炊飯器に適用した場合を例に図面を参照して説明する。なお、この図面の形態によって本発明が限定されるものではない。
【００１１】
実施の形態１．
図１は、実施の形態１に係る炊飯器の上蓋を開放しタンクを取り出した状態を示す斜視説明図である。また、図２は、実施の形態１に係る炊飯器の断面模式図である。
図１、図２に示すように、炊飯器１００は、上部が開口した本体１と、本体１の内部に着脱自在に収納される内釜２（加熱容器）と、本体１の外郭の一部に形成されたタンク収容部３に収容されるタンク１０と、本体１及びタンク１０の上方を開閉自在に覆う上蓋４とを備えている。本体１の底部には、内釜２を加熱するための電気ヒータや誘導加熱コイルからなる加熱手段６が設けられている。また、上蓋４の下面（内釜２側）には、内釜２の上面開口を開閉自在に覆う内蓋４ａが取り付けられている。上蓋４の内部には、蒸気パイプ５が配設されており、この蒸気パイプ５の一端は内蓋４ａを介して内釜２の内部に、他端はタンク１０に接続される。すなわち、蒸気パイプ５を介して、内釜２とタンク１０とは連通する。
【００１２】
タンク１０は、炊飯中に内釜２内で発生した蒸気を、内部に溜められている水（冷却水）により復水して回収するための容器である。タンク１０は、上面を開口したタンク本体１１と、タンク本体１１の上面開口を開閉自在に覆うタンク蓋１２とを備えている。
【００１３】
上記のような構成の炊飯器１００において、炊飯中に発生した蒸気は、内蓋４ａに形成された蒸気口を介して蒸気パイプ５内に進入し、蒸気パイプ５内を進み、タンク１０内へと流入する。タンク１０内へ流入した蒸気は、タンク１０内の水により冷却されて復水され、タンク１０内に貯留される。このような構成であるため、使用者は、炊飯前に、タンク１０内に規定量の水Ｗを入れておく必要がある。ここで、タンク１０内に予め入れておくべき水Ｗの規定量とは、蒸気を水で凝縮させるのに必要な最低限の水量以上であって、炊飯時の発生蒸気をすべて凝縮してもタンク１０の水が漏れない限界の水量以下の水量である。
【００１４】
次に、タンク１０についてさらに説明する。
図３は、実施の形態１に係るタンクの斜視図である。図４は、実施の形態１に係るタンクの断面図である。図５は、図４のＡ部を拡大して示す図である。図６は、実施の形態１に係るタンクを逆さまにした状態を説明する図である。なお、以降の説明において、便宜上、タンク１０について「通常の向き」等と称する場合があるが、これは、図４に示すようなタンク１０の向き（逆さまとは逆向き）のことをいう。また、特に断らない限り、以下の説明においてはタンク１０を通常の向きとした場合を基準として説明しており、「上」、「下」等の方向を示す言葉を用いる場合についても、タンク１０を通常の向きとした場合の方向をいうものとする。
【００１５】
ここで、前述のとおり、タンク１０は規定量の水Ｗが入れられた状態で使用されるのであるが、タンク１０に規定量の水Ｗが入れられたときの水位を、規定水位Ｒと称し、図４に図示している。
【００１６】
タンク１０を構成するタンク本体１１及びタンク蓋１２は、例えば合成樹脂材料で構成されている。タンク本体１１は、規定水量よりも多い水を溜めることができる容積を有している。
【００１７】
タンク蓋１２には、上面開口１４が形成されている。この上面開口１４は、上蓋４を閉じた状態において蒸気パイプ５の先端開口部と対応する位置に設けられており、タンク１０を本体１のタンク収容部３に収容した状態で上蓋４を閉じると、蒸気パイプ５の先端開口部が上面開口１４に接続される。
【００１８】
タンク蓋１２の上面開口１４には、タンク蓋１２の下面側（タンク本体１１の内部側）に向かって延びる蒸気案内筒１３がタンク蓋１２と一体に設けられている。蒸気案内筒１３は、上端部（上面開口１４）及び下端部１３ａが開口し、内部に流体の流路を有する筒状部材である。この蒸気案内筒１３は、蒸気パイプ５により導かれた蒸気をタンク本体１１内に溜められた水に導く経路となる。
【００１９】
蒸気案内筒１３の長さは、タンク１０を逆さまにした状態において（図６参照）、蒸気案内筒１３の下端部１３ａの位置と、規定水量の水の水面（図６に示す規定水位Ｒ）の位置とが同じになるように設定されている。
【００２０】
蒸気案内筒１３の周壁において、規定水位Ｒよりも上側の位置には、第一通気孔１５が開口している。また、この第一通気孔１５に対応する蒸気案内筒１３の内側（蒸気が通過する側）の位置には、第一弁部材１７が設けられている。
【００２１】
第一弁部材１７は、例えばシリコンゴムなどの柔軟性を有する素材で形成された薄板状の弁体１７１と、弁体１７１の上方において茸状に突出する突部１７２とを備える。弁体１７１は、第一通気孔１５の開口面積より大きい面積を有している。突部１７２は、蒸気案内筒１３に設けられた弁取付用穴１３１に対して弾性嵌合し、これによって、第一弁部材１７が蒸気案内筒１３の側壁に取り付けられる。第一弁部材１７が取り付けられた状態において、弁体１７１は、第一通気孔１５を覆う。タンク１０内（蒸気案内筒１３の外側）の圧力が、蒸気案内筒１３の内側の圧力に対して高くなると、第一弁部材１７の弁体１７１がその弾性によって動き（図５に破線で示す）、第一通気孔１５を開口させる。
【００２２】
このように構成された第一弁部材１７は、タンク１０が通常の向きである場合には（図４に示す状態）、第一通気孔１５にてタンク１０の内部から外部への流体（空気）の流れを許容し、タンク１０を逆さまにしたときには（図６に示す状態）、第一通気孔１５を塞ぐ。
【００２３】
タンク本体１１の底面には第二通気孔１６が開口している。また、この第二通気孔１６を開放、閉塞する第二弁部材１８が設けられている。
【００２４】
第二弁部材１８は、球状のボール弁体１８１と、タンク本体１１の底面内部に設けられボール弁体１８１を収容する収容部１８２とを備える。ボール弁体１８１は、その直径が第二通気孔１６の直径よりも大きく、第二通気孔１６にボール弁体１８１の一部が嵌ることで、第二通気孔１６を塞ぐことができる。収容部１８２は、タンク１０が通常の向きであるときには（図４参照）ボール弁体１８１が第二通気孔１６に嵌り、かつ、タンク１０が逆さまのときには（図６参照）ボール弁体１８１が第二通気孔１６から外れるような内部空間を有している。収容部１８２のタンク本体１１の内部側の面（第二通気孔１６と対向する面）には、小孔１８３が開口している。この小孔１８３は、通気のための開口部である。小孔１８３は、タンク１０を逆さまにしたときにボール弁体１８１によって塞がれないように設けられている。本実施の形態１では、複数の小孔１８３を設け、ボール弁体１８１の位置にかかわらずいずれかの小孔１８３の開口状態を保つことができるようにしているが、小孔１８３の具合的構成はこれに限らない。
【００２５】
このように構成された第二弁部材１８は、タンク１０が通常の向きである場合には（図４に示す状態）、第二通気孔１６を塞ぐ。一方、タンク１０を逆さまにしたときには（図６に示す状態）、第二通気孔１６にてタンク１０の内部と外部との間で流体の流れを許容する。
【００２６】
次に、以上のように構成されたタンク１０の作用を説明する。
タンク１０に規定水量の水を入れる際には、使用者は、タンク蓋１２の上面に設けられた上面開口１４からタンク１０内に水を注入する。このとき、使用者がタンク１０に入れる水は、規定水位Ｒよりも高い水位となるような水量であればよく、厳密に水位調節を行う必要はない。例えば、タンク１０の満水近くまで水を入れるようにし、このときの水位を図４では水位Ｗ１として示している。タンク１０内に水が注入される過程において、タンク１０内に入っていた空気が第一弁部材１７の弁体１７１を押して弁体１７１を移動、変形させ（図５参照）第一通気孔１５を開放させる。このため、タンク１０内の空気が排出され、タンク１０にスムーズに給水することができる。
【００２７】
このとき、第二弁部材１８のボール弁体１８１は第二通気孔１６に嵌ってこれを閉塞しており、タンク１０の底面から水が漏れない状態となっている。
【００２８】
次に、使用者は、タンク１０を逆さまにする。このようにすると、水位Ｗ１と規定水位Ｒとの差分に相当する量の水が、蒸気案内筒１３、上面開口１４を通ってタンク１０の外部へと排出される。また、第二弁部材１８のボール弁体１８１が第二通気孔１６から外れて第二通気孔１６を開放するため、タンク１０の外部の空気が第二通気孔１６、小孔１８３を通ってタンク１０内に入ってくる。このため、タンク１０からの排水をスムーズに行うことができる。そして、パスカルの原理により、蒸気案内筒１３の下端部１３ａの位置と、水面との位置が同じになったところでバランスが保たれ、タンク１０からの水の流出が停止する。すなわち、タンク１０を逆さまにすることで規定水量に対して余分な水が排出され、水位Ｗ１から規定水位Ｒへと水位が下がる。このときにタンク１０内に残っている水が、規定水量の水となる。
【００２９】
そして、使用者は、タンク１０を通常の向き（図４の向き）に直す。以上で、タンク１０への規定水量の水の注入作業は終了となる。なお、タンク１０を通常の向きに直す際に、タンク１０内の圧力バランスが崩れて多少の水がこぼれうるため、この水がこぼれる分を見込んでタンク１０の規定水位を定めておくとよい。また、タンク１０を逆さまの状態から通常の状態に戻すようタンク１０を傾けた際に、なるべく早く（なるべく小さい傾きで）第二弁部材１８が第二通気孔１６を閉塞することができるように第二弁部材１８を設計することで、タンク１０を通常の向きに直す際に水がこぼれるのを最小限に抑えることができる。
【００３０】
このように、本実施の形態１のタンク１０では、水位目盛と水面とを見比べて水位調節を行う必要もなく、簡単に規定水量の水をタンク１０に入れることができる。
【００３１】
以上のようにして規定水量の水を入れたタンク１０をタンク収容部３にセットするとともに、内釜２内に米と水とを入れて上蓋４を閉めた状態で、使用者は炊飯器１００にて炊飯を開始させることができる。
【００３２】
炊飯器１００は、炊飯開始が指示されると、まず内釜２の温度が予熱温度（例えば５５℃〜６０℃程度）となるように加熱する予熱工程を所定時間行う。予熱工程が終了すると、内釜２内の温度を沸騰温度（例えば１００℃）付近まで上昇させる昇温工程を行う。
【００３３】
その後、内釜２内の温度が沸騰温度付近を維持するよう加熱手段６により加熱を続ける沸騰維持工程に移行する。沸騰維持工程においては、被炊飯物全体が沸騰を開始して水蒸気が勢いよく発生し、内釜２内に水蒸気が充満する状態になる。内釜２内に水蒸気が充満する状態になると、内釜２内の水蒸気は、内蓋４ａに形成された蒸気口（図示せず）から蒸気パイプ５を経て上面開口１４、蒸気案内筒１３に至り、タンク１０内に入れられている水に拡散され、復水する。このとき、大気圧より高圧の水蒸気が蒸気案内筒１３内を通るため、第一弁部材１７の弁体１７１は、蒸気案内筒１３の第一通気孔１５を閉塞するように、蒸気案内筒１３の壁面に押し付けられる。
【００３４】
沸騰工程において内釜２内の水分がなくなって内釜２の底部の温度が急激に上昇し、例えば１２４℃の炊飯完了温度に達したときは、蒸らし工程に移行する。蒸らし工程になると、内釜２内の圧力が大気圧より低くなるため、図５に示すように、第一弁部材１７の弁体１７１が、負圧により蒸気案内筒１３の第一通気孔１５を開栓するように矢印方向（内側）に動き、同時にタンク蓋１２に設けた上面開口１４からタンク本体１１内に外気が取り込まれ、この外気によって第一弁部材１７の弁体１７１をさらに矢印方向に移動させて第一通気孔１５を確実に開口させる。これにより、第一通気孔１５から弁体１７１と壁面との間を通過した外気は、蒸気案内筒１３、蒸気パイプ５を経て内釜２（本体１）内に入り、内釜２内の圧力を外気圧と同圧にすることにより、水の逆流を防止する。すなわち、第一通気孔１５及び第一弁部材１７は、本実施の形態１では、タンク１０に水を入れる際にタンク１０内の空気を排出する機能を発揮するとともに、炊飯時においてタンク１０内の水が内釜２の方へ逆流するのを防止する機能を発揮している。
【００３５】
以上のように、本実施の形態１によれば、蒸気案内筒１３は、タンク１０に規定量の水が入っている状態で当該タンク１０を逆さまにしたときの規定水位Ｒと、蒸気案内筒１３の下端部１３ａとが同位置となるような高さに構成されている。このため、使用者が、タンク１０に規定水位Ｒを超える水を入れた状態でタンク１０を逆さまにすることで、タンク１０内の余分な水を排出することができる。したがって、使用者は、水位目盛がなくとも、簡単に規定量の水をタンク１０に入れることができる。このタンク１０においては、水位目盛と水面とを見比べながら水位調節を行う必要もないので、例えば暗い場所でタンク１０に水を入れる場合など水位目盛が見えにくい状況であっても、正確に規定量の水をタンク１０に入れることができる。
【００３６】
また、本実施の形態１では、タンク１０が通常の向きであるときには第一通気孔１５においてタンク１０の内部から外部への流体の流れを許容し、タンク１０が逆さまであるときには第一通気孔１５を塞ぐように構成された第一弁部材１７を備えた。このため、タンク１０に水を入れる際には、第一通気孔１５が開放されてタンク１０内の空気が排出され、タンク１０にスムーズに給水することができる。なお、本実施の形態１で示した第一弁部材１７の具体的構成を限定するものではなく、上述の機能を発揮可能な弁部材であれば任意のものを採用することができる。
【００３７】
また、本実施の形態１では、タンク１０が逆さまであるときには第二通気孔１６においてタンク１０の内部と外部との間の流体の流れを許容し、タンク１０が通常の向きであるときには第二通気孔１６を塞ぐように構成された第二弁部材１８を備えた。このため、タンク１０を逆さまにした際には、第二通気孔１６が開放されて外部の空気がタンク１０の内部に入り、タンク１０からの排水をスムーズに行うことができる。なお、本実施の形態１で示した第二弁部材１８の具体的構成を限定するものではなく、上述の機能を発揮可能な弁部材であれば任意のものを採用することができる。
【００３８】
なお、本実施の形態１では、第一通気孔１５を蒸気案内筒１３に設けた。このような構成とすることで、前述の通り、タンク１０に水を入れる際にタンク１０内の空気を排出する機能を発揮するとともに、炊飯時においてタンク１０内の水が内釜２の方へ逆流するのを防止する機能を発揮することができるのであるが、第一通気孔１５の開口位置はこれに限定されない。第一通気孔１５は、タンク１０が通常の向き（図４の状態）である場合において、規定水位Ｒより高い位置に開口していればよく、タンク１０の壁部（タンク本体１１の壁部及びタンク蓋１２の壁部を含む）に設けてもよい。なお、その場合には、炊飯中にはこの第一通気孔１５を閉塞するための閉塞部材を設ける。
【００３９】
また、第二通気孔１６は、タンク１０を逆さまにした状態（図６の状態）において、規定水位Ｒよりも高い位置に設ければよく、その設置位置はタンク１０の底面に限定されない。例えば、タンク１０の底部近傍の側壁に設けてもよい。なお、その場合には、タンク１０を通常の向きとした状態において、第二通気孔１６を閉塞した状態を保つことのできる閉塞部材を設ける。
【００４０】
実施の形態２．
本実施の形態２では、タンク本体１１とタンク蓋１２との固定構造について説明する。実施の形態１で説明したように、タンク１０に規定量の水を入れるように水位調節する際にはタンク１０を逆さまにするのであるが、このようにタンク１０を逆さまにしてもタンク本体１１からタンク蓋１２が容易には外れないようにするための構成例を、本実施の形態２で説明する。
【００４１】
図７は、実施の形態２に係るタンクの要部を説明する図であり、タンクの断面模式図を示している。図７では、実施の形態１と同一の構成には同一の符号を付している。
本実施の形態２のタンク１０は、タンク本体１１の前面を覆うタンクカバー３０を有し、このタンク本体１１及びタンクカバー３０に対してタンク蓋１２を着脱可能な構成である。
【００４２】
図７に示すように、実施の形態２のタンク本体１１には、タンク本体１１の前面（図７における紙面右側）を覆うタンクカバー３０が設けられている。タンクカバー３０の下端部には、タンク本体１１の前面側下端部を嵌合させる嵌合溝３１が形成されており、タンクカバー３０はタンク本体１１に対して着脱可能な構成である。
【００４３】
タンク蓋１２の外周部には、軸部２１によって上下方向に回動可能に軸支されたフック状部材２０が設けられている。図７に示す例では、前後一対のフック状部材２０が設けられている。また、タンクカバー３０において、タンク蓋１２を閉めたときにフック状部材２０に対応する位置には突状の係止部２２が形成され、タンク本体１１において、同じくフック状部材２０に対応する位置に係止部２２が設けられている。フック状部材２０のフック（爪）は、係止部２２に対して押し付ける方向であればこれを乗り越えることができるが、係止部２２から離す方向には容易には外れない構成となっている。このフック状部材２０と係止部２２と同様の構成が、タンク蓋１２とタンク本体１１またはタンクカバー３０の複数箇所に設けられている。本実施の形態２では、フック状部材２０及び係止部２２によって、本発明の固定部材が構成されている。
【００４４】
また、タンク本体１１の上部周縁部には溝部１９を形成し、この溝部１９の中に中空洞のチューブ状のパッキン２３を設けている。タンク蓋１２を閉めたときには、タンク本体１１とタンク蓋１２との間にパッキン２３が介在する構成としている。
【００４５】
このように、本実施の形態２では、フック状部材２０と係止部２２により、タンク本体１１とタンク蓋１２とを固定するようにした。このため、タンク１０を逆さまにしてもタンク蓋１２が外れにくく、タンク蓋１２が外れて水がこぼれるといったことも生じにくい。
【００４６】
また、タンク本体１１に対してタンク蓋１２を着脱可能に設けたので、これらを外すことで使用者は容易にタンク本体１１及びタンク蓋１２を洗うことができる。このため、使い勝手のよいタンク１０を得ることができる。
【００４７】
また、タンク蓋１２を閉めた状態において、タンク本体１１とタンク蓋１２との間にパッキン２３を介在させた。このため、タンク１０を逆さまにした場合でも、タンク本体１１とタンク蓋１２の当接部分からの水漏れを抑制することができる。
【００４８】
なお、本実施の形態２では、タンク蓋１２にフック状部材２０を設け、タンクカバー３０またはタンク本体１１に係止部２２を設ける例を示したが、タンクカバー３０またはタンク本体１１にフック状部材２０を設け、タンク蓋１２に係止部２２を設けてもよい。また、フック状部材２０及び係止部２２の具体的形状は、図示のものに限定されない。また、タンクカバー３０を設けない構成としてもよい。
【００４９】
また、前述の実施の形態１では、タンク１０に規定水量の水を入れる際に、タンク蓋１２の上面に設けられた上面開口１４から水を注入する旨の説明をしたが、タンク蓋１２がタンク本体１１に対して着脱可能である場合には、タンク蓋１２を開けた状態でタンク本体１１に水を入れ、その後、タンク蓋１２を閉めてからタンク１０を逆さまにして余分な水を排水するようにしてもよい。
【００５０】
実施の形態３．
前述の実施の形態２では、タンク本体１１に対してタンク蓋１２を着脱可能な構成にしたが、これらを着脱不能な構成にしてもよい。すなわち、タンク本体１１とタンク蓋１２との当接部分を溶着し、使用者がタンク蓋１２を外すことができないようにしてもよい。この場合には、タンク本体１１とタンク蓋１２との当接部分をラビリンス構造にすることで、水漏れの抑制効果が大きくなる。あるいは、タンク本体１１とタンク蓋１２とを一体に構成してもよい。このようにすることで、タンク１０を逆さまにした場合でも、タンク本体１１とタンク蓋１２との間から水漏れすることがない。
【符号の説明】
【００５１】
１  本体、２  内釜、３  タンク収容部、４  上蓋、４ａ  内蓋、５  蒸気パイプ、６  加熱手段、１０  タンク、１１  タンク本体、１２  タンク蓋、１３  蒸気案内筒、１３ａ  下端部、１４  上面開口、１５  第一通気孔、１６  第二通気孔、１７  第一弁部材、１８  第二弁部材、１９  溝部、２０  フック状部材、２１  軸部、２２  係止部、２３  パッキン、３０  タンクカバー、３１  嵌合溝、１００  炊飯器、１３１  弁取付用穴、１７１  弁体、１７２  突部、１８１  ボール弁体、１８２  収容部、１８３  小孔。
【図１】
2013102806.tif 000003
【図３】
2013102806.tif 000004
【図４】
2013102806.tif 000005
【図５】
2013102806.tif 000006
【図６】
2013102806.tif 000007
【図７】
2013102806.tif 000008
【図２】
2013102806.tif 000009